(57)【要約】【課題】ガラス製品などの物品の表面に希望する模様等の装飾を、素人でも容易に施すことができる装飾方法及びその方法により装飾された製品を提供する。【解決手段】本発明の装飾方法は、ワイングラス本体１１の底部１１ａの底面に透明な紫外線硬化接着剤３０を塗布し、次に、その紫外線硬化接着剤を塗布した物品の表面に平面状或いは粒状の装飾素材２０を配し、次にその装飾素材２０の上に紫外線硬化接着剤３０を塗布し、次に紫外線硬化接着剤３０に紫外線を照射して紫外線硬貨接着剤３０を硬化させることにより、ワイングラスの表面を装飾するので、ワイングラスの表面にユーザが希望する装飾を容易に施すことができる。【選択図】図１
2015016563.tif 000002
【特許請求の範囲】
【請求項１】
物品の表面に装飾を施す装飾方法であって、
前記物品の表面に透明な紫外線硬化接着剤を塗布する第一工程と、
前記第一工程で塗布された前記紫外線硬化接着剤上に平面状或いは粒状の装飾素材を配する第二工程と、
前記第二工程で配された前記装飾素材の上に前記紫外線硬化接着剤を塗布することにより前記装飾素材を前記紫外線硬化接着剤で封止する第三工程と、
前記紫外線硬化接着剤に紫外線を照射して、前記紫外線硬化接着剤を硬化させる第四工程と、
を具備することを特徴とする装飾方法。
【請求項２】
前記物品はガラス製品であり、前記ガラス製品の底面に装飾を施すことを特徴とする請求項１記載の装飾方法。
【請求項３】
前記装飾素材として布を用いたことを特徴とする請求項１又は２記載の装飾方法。
【請求項４】
請求項１乃至３の何れかの装飾方法で表面が装飾されたことを特徴とする物品。
【発明の詳細な説明】
【技術分野】
【０００１】
本発明は、例えばガラス製品等の物品の表面に装飾を施す装飾方法及びその方法により装飾された物品に関するものである。
【背景技術】
【０００２】
昔から、例えば、ガラス製品等の物品の表面に装飾を施す方法として、ガラス製品等の表面に転写紙を貼る方法や、ガラス製品等の表面にエッチングにより模様を施す方法などが良く知られている。また、ガラス製品の表面に漆を塗り、乾燥後サンドブラストにより漆を削り取り模様を形成すると同時に、サンドブラストしたガラス表面に梨地の模様を形成する方法等が提案されている（特開２００９−２８３１５１号公報）。
【先行技術文献】
【特許文献】
【０００３】
【特許文献１】特開２００９−２８３１５１号公報
【発明の概要】
【発明が解決しようとする課題】
【０００４】
しかしながら、ガラス製品等の表面に転写紙を貼る従来の方法は、装飾するための模様が限られており、ユーザが希望する模様を物品に施すことはできない。また、エッチングによる方法や漆を塗布する方法は、希望の模様を施すことはできるが、これらの方法は誰でもができるというものではなく、素人にはその加工が難しいという問題がある。
【０００５】
本発明は上記事情に基づいてなされたものであり、ガラス製品などの物品の表面に希望する模様等の装飾を、素人でも容易に施すことができる装飾方法及びその方法により装飾された製品を提供することを目的とするものである。
【課題を解決するための手段】
【０００６】
上記の目的を達成するための本発明に係る装飾方法は、物品の表面に装飾を施す装飾方法であって、物品の表面に透明な紫外線硬化接着剤を塗布する第一工程と、第一工程で塗布された紫外線硬化接着剤上に平面状或いは粒状の装飾素材を配する第二工程と、第二工程で配された前記装飾素材の上に紫外線硬化接着剤を塗布することにより装飾素材を紫外線硬化接着剤で封止する第三工程と、紫外線硬化接着剤に紫外線を照射して、紫外線硬化接着剤を硬化させる第四工程と、を具備することを特徴とする。
【０００７】
本発明の装飾方法では、物品の表面に透明な紫外線硬化接着剤を塗布し、次に、その紫外線硬化接着剤を塗布した物品の表面に平面状或いは粒状の装飾素材を置き、次にその装飾素材の上に紫外線硬化接着剤を塗布し、次に紫外線硬化接着剤に紫外線を照射して紫外線硬貨接着剤を硬化させることにより、物品の表面に装飾素材を紫外線硬貨接着剤で貼り付けて封止するので、物品の表面にユーザが希望する装飾を容易に施すことができる。
【０００８】
また、本発明の装飾方法において、物品はガラス製品であり、ガラス製品の底面に装飾を施すことが望ましい。これにより、曲面で形成されていることが多い側面に装飾を施す場合に比べて、そのガラス製品にユーザが希望する装飾を容易に施すことができる。また、底面に装飾を施すことにより、他のどの面に装飾を施すより、そのガラス製品全体のデザインを損なうことなく、希望する装飾を施すことができる。
【０００９】
更に、本発明の装飾方法において、装飾素材として布を用いることが望ましい。物品、例えばワイングラスの底面に布、例えば帯の端切れ布を用いることにより、素人でも洋食器であるワイングラスに日本の伝統的な布の柄を装飾として容易に施すことができる。
【発明の効果】
【００１０】
本発明の装飾方法では、物品の表面に透明な紫外線硬化接着剤を塗布し、次に、その紫外線硬化接着剤を塗布した物品の表面に平面状或いは粒状の装飾素材を配し、次にその装飾素材の上に紫外線硬化接着剤を塗布し、次に紫外線硬化接着剤に紫外線を照射して紫外線硬貨接着剤を硬化させることにより、物品の表面に装飾を施すので、物品の表面にユーザが希望する装飾を容易に施すことができる。
【図面の簡単な説明】
【００１１】
【図１】図１は本発明の一実施形態である装飾方法を用いて装飾したワイングラスの概略斜視図である。
【図２】図２はそのワイングラスの底部の概略拡大断面図である。
【図３】図３はそのワイングラスの装飾に用いる装飾素材である布の概略平面図である。
【発明を実施するための形態】
【００１２】
以下に、図面を参照して、本願に係る発明を実施するための最良の形態について説明する。図１は本発明の一実施形態である装飾方法を用いて装飾したワイングラスの概略斜視図である。図２はそのワイングラスの底部の概略拡大断面図である。図３はそのワイングラスの装飾に用いる装飾素材である布の概略平面図である。
【００１３】
本実施形態のワイングラス１０は、図１及び図２に示すように、透明なガラス製のワイングラス本体１１と、ワイングラス本体１１の底部１１ａに貼り付けられた布２０と、底部１１ａに布２０を貼り付けるための紫外線硬化接着剤３０とを備えている。
【００１４】
本実施形態に使用するワイングラス１０のワイングラス本体１１としては、市販のガラス製のワイングラスを使用することができる。本実施形態のワイングラス１０は、図２に示すように、底部１１ａの底面が凹状に形成されている。したがって、本実施形態のワイングラス本体をテーブル等の上に置くと、本実施形態のワイングラス本体１１の底面の端縁だけがテーブルと接触し、底面とテーブルの表面との間に狭い空間ができる。本実施形態では、この狭い空間を利用して、この空間内に装飾を施す。なお、図２では、図を分かり易くするために、布２０と紫外線硬化接着剤３０の厚さを実際より厚く描いている。このため、図２では、紫外線硬化接着剤３０がこの空間からはみ出ているように見えるが、実際には、布２０と紫外線硬化接着剤３０の厚さは薄いので、紫外線硬化接着剤３０もこの空間内に納まっている。また、本実施形態では、このように底面が凹状に形成されているワイングラス本体１１を使用しているが、本発明はこれに限定されるものではなく、底面は平面状に形成されているものであってもよい。また、装飾を施す面は、底面に限られるものではなく、ワイングラス本体の表面であれば、例えば底部の表面、ワインを入れるカップの側面、手で持つ部分であるステムの表面等であってもよい。
【００１５】
また、本実施形態の装飾素材としての布２０は、元布となる帯の端切れ布から作ったものである。図３示すような元布となる端切れ布から、本実施形態のワイングラス１０の底面１１ａに貼り付ける円形状の布２０を作る。本実施形態では、図３に示す端切れ布２に対して、リング状の抜き型を用いて円形状に型抜きして布２０を形成している。このように布２０を型抜きで形成することにより、端部がほつれることなく、元布から円形状の布２０を形成することができる。また、本実施形態の布２０は、ワイングラス本体１１の底面の外形より若干小さな円形状となるように形成している。なお、使用する元布の材質によっては、型抜きの方法でも端縁がほつれる場合ある。この場合には、元布の切断部分にほつれ止め液を塗布してから型抜きすると、型抜きの際のほつれを防止することができる。
【００１６】
また、紫外線硬化接着剤３０としては、接着力が強いだけでなく、水に強く、また熱にも強く、しかも透明度が高いものであることが望ましい。本実施形態では、紫外線硬化接着剤として、一般人が購入することができる市販のもの、例えばシーフォース株式会社製のジュエリー用ＵＶ硬化ボンドＡＺ-４を使用している。なお、この紫外線硬化接着剤３０は、粘度が高く扱い難いので、所定の溶剤を加えて粘度を下げている。本実施形態の接着剤を用いて装飾素材を貼り付けて封止することにより、本実施形態の装飾を施したワイングラス１０は水洗いができる。また、熱に強いので、本実施形態の装飾を施したワイングラス１０は、５０〜６０度のお湯を使用して食器洗洗い機を用いて洗うこともできる。さらに、本実施形態のワイングラスは、透明度の高い接着剤を用いて布を貼り付けて封止するので、ガラスの内部に布が封じ込められているように見える。このような装飾は実際にはあり得ない。ワイングラスのガラスの内部に布を封じ込めようとすると、ガラスの加工工程は高温であるので、熱で布が焼損してしまうからである。また、一般の接着剤は、硬化した後にヤスリ等で削ると、透明度が下がるものが多い。これに対して、本実施形態で使用している紫外線硬化接着剤は、紫外線を照射して硬化させた後に、紙ヤスリ等で削っても、透明度が変わらないという特性を有する。
【００１７】
本実施形態のワイングラス１０は、次のようにしてその底面に装飾が施される。まず、予め、型抜きにより円形状に形成した布２０を紫外線硬化接着剤に浸しておく。この際、市販されている上記の紫外線硬化接着剤をそのまま使用すると、粘度が高いので、この接着剤を布２０に浸透させ難く、浸透させるのに時間がかかる。これに対して、本実施形態では、市販の紫外線硬化接着剤を所定の溶剤により薄めて粘度を下げてあるので、布２０に紫外線硬化接着剤を短時間で容易に浸透させることができる。次に、ワイングラス本体１１を逆さにし、底部１１ａを上側にして底面に紫外線硬化接着剤３０を塗布する。次に、その紫外線硬化接着剤を塗布した底面に紫外線硬化接着剤に浸しておいた布２０を置く。このとき、底面と布２０との間に空気が入らないように注意して置く。空気が入り込み気泡が出来ると、見栄えが悪くなるだけでなく、品質や耐久性が悪くなるからである。次に、その布２０の上に紫外線硬化接着剤を塗布する。次に、紫外線硬化接着剤にブラックライトを用いて紫外線を照射して紫外線硬貨接着剤を硬化させる。最後に、硬化した紫外線硬化接着剤の余分な部分、例えば、ワイングラスの底面の端縁や凸状になっている箇所を紙ヤスリ等で削って仕上げる。この際、紫外線硬化接着剤が底面の端縁より下側に突き出ていると、本実施形態のワイングラス１０をテーブル等の上に置いたときに、がたつくようになるので、このような突き出る部分が生じないように仕上げる。これらの作業により、底面に装飾を施したワイングラス１０を製作することができる。なお、本実施形態では、紫外線硬化接着剤が硬化した後に、余分な紫外線硬化接着剤を削る場合について説明したが、余分な紫外線硬化接着剤が無いときには、この削る作業（工程）は省略することができる。また、本実施形態では、紫外線硬化接着剤はその粘度を低くして使用しているが、この接着剤の浸透性のよい装飾素材、或いは、そもそも浸透しない装飾素材の場合、濃度を薄める前の元の紫外線硬化接着剤をまま使用してもよい。さらに、本実施形態では、布を予め紫外線硬化接着剤に浸す場合について説明したが、液体が浸透しやすい布の場合、この浸す作業（工程）は省略することができる。
【００１８】
本実施形態では、ワイングラス本体の底部の底面に紫外線硬化接着剤を塗布し、次に、その紫外線硬化接着剤を塗布した底面に、透明な紫外線硬化接着剤に浸した布２０を配し、次にその装飾素材の上に紫外線硬化接着剤を塗布し、次に紫外線硬化接着剤にブラックライトの紫外線を照射して紫外線硬貨接着剤を硬化させ、最後に紫外線硬化接着剤の余分な部分を紙ヤスリ等で削り取ることによりワイングラス本体の底面に装飾を施すので、ユーザが希望する柄の布を用いて容易にワイングラスに希望の装飾を施すことができる。したがって、本実施形態のワイングラスによれば、熟練した技術を持たない一般のユーザが、例えば、自分の好きな服の端切れ布や、結婚式のときに着たウエディングドレスの端切れ布や、お爺さんやお婆さんが愛用していた帯の端切れ布や、子供が七五三のお祝いのときに着た服の端切れ布など、希望の柄の布を用いてワイングラスに装飾を施すことができ、これらの布を長く記念として大切に保存したり、これらの布を装飾として施したワイングラスを置物として飾ったりすることもできる。
【００１９】
また、本実施形態では、装飾素材として帯の端切れ布を使用することにより、帯には日本の伝統的な模様が描かれているので、一般のユーザでも、日本の伝統的な美しい模様を外国製のワイングラスに簡単に装飾とて施すことができる。
【００２０】
また、本実施形態のワイングラスでは、凹状に形成された底面に布２０を貼り付けて封止したことにより、ワイングラスの使い勝手を害することなくワイングラスに装飾を施すことができる。例えば、ワイングラスをテーブルの上に置いたときにワイングラスががたつくようなことはない。また、本実施形態のワイングラスは、その底面に装飾が施されているので、他のどの表面に装飾を施すよりも、自己主張することのない、控えめな装飾を施すことができ、したがってワイングラス全体のデザインを損なうことなく、新たな装飾を施すことができる。
【００２１】
また、本実施形態のワイングラスでは、透明度の高い赤外線硬化接着剤を用いて布を封止したことにより、本実施形態のワイングラスは、ガラスの内部に布を封入したように見え、したがって従来にない特有の作用・効果を奏する。
【００２２】
また、ワイングラスの表面に単に布を接着剤で貼り付けただけであると、じきに貼った布が剥がれたり、また水に濡れて変形したりするようになる。これに対して本実施形態のワイングラスでは、赤外線硬化接着剤を用いて布を接着剤の内部に封止しているので、本実施形態のワイングラスは、水で洗うことができ、また食器洗い機で５０〜６０度のお湯を使用して洗うこともできる。
【００２３】
尚、本発明は上記の実施形態に限定されるものではなく、その要旨の範囲内において種々の変形が可能である。
【００２４】
例えば、上記の実施形態では、装飾される物品がワイングラスである場合について説明したが、本発明はワイングラスに限定されるものではなく、例えばガラス製の灰皿、花瓶、或いは菓子器等の物品であってもよいし、またガラス製品に限定されるものではなく、装飾される物品は、表面に硬い部分を有するものであればどのようなものでもよく、例えば、瀬戸物、金属製品、樹脂製品、或いは革製品等であってもよい。また、装飾を施す面は、外側に限られるものではなく、例えば、ガラス製の菓子器の場合、ガラス製の蓋の内側に装飾を施すようにしてもよい。
【００２５】
また、上記の本実施形態では、装飾素材として布を用いる場合について説明したが、本発明はこれに限定されるものではなく、平面状の装飾素材としては、たとえば、写真、植物の花びら、押し花、ドライフラワーなどを用いることができる。また、立体的な装飾素材としては、粒状のビーズやスワロフスキーやダイヤなどを用いることができる。なお、本実施形態の場合、自然の植物を使用する場合でも、紫外線硬化接着剤により、封止されるで、装飾素材として用いた植物が空気に触れて腐ってしまうことはない。
【００２６】
また、上記の実施形態では、紫外線硬化接着剤としてジュエリー用ＵＶ硬化ボンドＡＺ-４を使用する場合について説明したが、本発明はこれに限られるものではなく、水や熱に強く、透明度のあるものであれば、どのような紫外線硬化接着剤であってもよい。
【００２７】
また、上記の実施形態では、紫外線の照射にブラックライトを用いる場合について説明したが、本発明はこれに限定されるものではなく、紫外線を照射することができるものであればどのようなライトでもよく、またライトではなく、例えば太陽光を用いるようにしてもよい。
【産業上の利用可能性】
【００２８】
以上説明したように、本発明の装飾方法では、物品の表面に透明な紫外線硬化接着剤を塗布し、次に、その紫外線硬化接着剤を塗布した物品の表面に平面状或いは粒状の装飾素材を配し、次にその装飾素材の上に紫外線硬化接着剤を塗布し、次に紫外線硬化接着剤に紫外線を照射して紫外線硬貨接着剤を硬化させることにより、物品の表面に装飾を施すので、物品の表面にユーザが希望する装飾を容易に施すことができる。したがって、本発明は、例えばガラス製品等の物品の表面に装飾を施すのに好適である。
【符号の説明】
【００２９】
２  元布
１０  ワイングラス
１１  ワインクラス本体
１１ａ  底部
２０  布
３０  紫外線硬化接着剤
【図１】
2015016563.tif 000003
【図２】
2015016563.tif 000004
【図３】
2015016563.tif 000005